【手続補正書】
【提出日】平成21年9月15日(2009.9.15)
【手続補正１】
【補正対象書類名】特許請求の範囲
【補正対象項目名】全文
【補正方法】変更
【補正の内容】
【特許請求の範囲】
【請求項１】
紫外線吸収剤（ＵＶＡ）及び式Ｉ
【化１】
2009509018.tif 000001
（式中、Ｘ及びＹは、Ｈを表すか又は一緒に二重結合を形成して酸素原子に結合する。）で表される少なくとも１種のニトロキシル部分を含む化合物の混合物の有効量を含む熱可塑性ポリウレタン組成物であって、該熱可塑性ポリウレタン組成物は、ＳＡＥ  Ｊ  １９６０  試験プロトコルに従う２５００ｋＪのキセノン曝露後に５未満のデルタＥが測定される変色度を示す、組成物。
【請求項２】
前記ＵＶＡは、熱可塑性ポリウレタン組成物の全質量に基づき０．１ないし５質量％の量で存在し、及び２−（２−ヒドロキシフェニル）−２Ｈ−ベンゾトリアゾール、トリス−アリール−ｏ−ヒドロキシフェニル−ｓ−トリアジン、２−ヒドロキシベンゾフェノン、ホルムアミジン及びオキサニリドからなる群より選択され、及び式Ｉで表される少なくとも１種のニトロキシル部分を含む化合物は、熱可塑性ポリウレタン組成物の全質量に基づき０．１ないし５質量％の量で存在する、請求項１に記載の組成物。
【請求項３】
前記式Ｉで表される少なくとも１種のニトロキシル部分を含む化合物は、式ＡないしＦ
【化２】
2009509018.tif 000002
［式中、
Ｘは、直接結合、酸素原子又は基
【化３】
2009509018.tif 000003
、ＮＲ10、
【化４】
2009509018.tif 000004
を表し、
ｍは、１、２、３又は４を表し、及び
ｍが１を表す場合、
Ｒ1は、水素原子、炭素原子数１ないし１８のアルキル基、炭素原子数２ないし１８の
アルケニル基、炭素原子数２ないし１８のアルキニル基、炭素原子数５ないし１２のシクロアルキル基、１個以上のＯＲ3、フェニル基、ＮＲ3Ｒ3’、ＣＯＯＲ3、ＣＯＯＭ+、Ｃ
ＯＮＲ3Ｒ3’により１回以上置換された前記アルキル基、アルケニル基、アルキニル基又はシクロアルキル基；
オキシラン基により置換された炭素原子数２ないし１８のアルキル基；
炭素原子数６ないし１２のアリール基、１ないし４個の炭素原子数１ないし４のアルキル基、ＯＲ3、ＮＲ3Ｒ3’、ＣＯＯＲ3、ＣＯＯＭ+、ＣＯＮＲ3Ｒ3’により置換された前
記アリール基；
上記定義された１個以上の基Ｘにより１回以上中断された炭素原子数２ないし１８のアルキル基、炭素原子数３ないし１８のアルケニル基、炭素原子数３ないし１８のアルキニル基又は炭素原子数５ないし１２のシクロアルキル基、１個以上のＯＲ3、フェニル基、
ＮＲ3Ｒ3’、ＣＯＯＲ3、ＣＯＯＭ+、ＣＯＮＲ3Ｒ3’により１回以上置換された前記中断されたアルキル基、アルケニル基、アルキニル基又はシクロアルキル基を表し；
ここで、Ｒ3及びＲ3’は、互いに独立して、水素原子、炭素原子数１ないし１８のアルキル基、酸素原子により１回以上中断された炭素原子数１ないし１８のアルキル基、炭素原子数５ないし１２のシクロアルキル基、炭素原子数６ないし１２のアリール基、１ないし４個の炭素原子数１ないし４のアルキル基により置換された前記アリール基、炭素原子数７ないし１２のアラルキル基、又は炭素原子数２ないし１８のアルキルカルボニル基、炭素原子数６ないし１３のシクロアルキルカルボニル基、炭素原子数７ないし１３のアリールカルボニル基、１ないし４個の炭素原子数１ないし４のアルキル基により置換された前記アリール基を表し、
及び、Ｍ+は、周期律表の１、２及び３族からの金属イオンを表すか、又はＺｎ、Ｃｕ
、Ｎｉ又はＣｏを表すか、又はＭは、基Ｎn+（Ｒ2）4（式中、Ｒ2は炭素原子数１ないし
８のアルキル基又はベンジル基を表す。）を表し；
ｍが２を表す場合、
Ｒ1は、炭素原子数１ないし１２のアルキレン基、炭素原子数２ないし１２のアルケニ
レン基、炭素原子数５ないし１２のシクロアルキレン基、炭素原子数７ないし１５のアラルキレン基又は炭素原子数６ないし１２のアリーレン基、１個以上のＯ、−ＮＲ3−、−
ＣＯＮＲ3−、−ＣＯＯ−により１回以上中断された炭素原子数２ないし１２のアルキレ
ン基を表し、
及びｍが２を表し且つＸが直接結合を表す場合、
Ｒ1は、−Ｎ（Ｒ3）Ｒ4Ｎ（Ｒ3）−（式中、Ｒ4は、炭素原子数２ないし１８のアルキ
レン基、炭素原子数５ないし１２のシクロアルキレン基、炭素原子数８ないし１５のアラルキレン基又は炭素原子数６ないし１２のアリーレン基を表す。）を表すか、又はＲ1は
、−ＣＯＯ−又は−ＮＨ−ＣＯ−ＮＨ−を表し；
ｍが３を表す場合、
Ｒ2は、炭素原子数３ないし８のアルカントリイル基又はベンゼントリイル基を表し、
及び
ｍが４を表す場合、
Ｒ2は、炭素原子数５ないし８のアルカンテトライル基又はベンゼンテトライル基を表
す。］：
【化５】
2009509018.tif 000005
【化６】
2009509018.tif 000006
【化７】
2009509018.tif 000007
（式中、Ｒ10は、水素原子、炭素原子数１ないし１８のアルキル基、炭素原子数５ないし１２のシクロアルキル基、炭素原子数７ないし１５のアラルキル基、炭素原子数２ないし１８のアルカノイル基、炭素原子数３ないし５のアルケノイル基又はベンゾイル基を表す。）：
【化８】
2009509018.tif 000008
［式中、
ｋは、１又は２を表し、
ｋが１を表す場合、
Ｒ20及びＲ21は、独立して、炭素原子数１ないし１２のアルキル基、炭素原子数２ないし１２のアルケニル基又は炭素原子数７ないし１５のアラルキル基を表すか、又は
Ｒ20及びＲ21は一緒に、炭素原子数２ないし８のアルキレン基又はヒドロキシル基により置換された前記アルキレン基を表すか、又は炭素原子数４ないし２２のアシルオキシ−アルキレン基を表すか、又は
ｋが２を表す場合、
Ｒ20及びＲ21は一緒に、（−ＣＨ2）2Ｃ（ＣＨ2−）2を表す。］：
【化９】
2009509018.tif 000009
｛式中、
Ｒ30は、水素原子、炭素原子数１ないし１８のアルキル基、ベンジル基、グリシジル基、又は炭素原子数２ないし６のアルコキシアルキル基を表し、
ｇは１又は２を表し、
ｇが１を表す場合、
Ｒ31は、水素原子、炭素原子数１ないし１８のアルキル基、炭素原子数２ないし１８のアルケニル基、プロパルギル基、グリシジル基、１ないし２０個の酸素原子により中断された炭素原子数２ないし５０のアルキル基、１ないし１０個のヒドロキシル基により置換されているか、又は前記酸素原子により中断され且つ前記ヒドロキシル基により置換された前記アルキル基を表すか、又は
Ｒ31は、カルボキシ基により又は−ＣＯＯＺにより置換された炭素原子数１ないし４のアルキル基を表し、ここでＺは、水素原子、炭素原子数１ないし４のアルキル基又はフェニル基を表すか、又はＺは、−（ＣＯＯ-）nＭn+［式中、ｎは１ないし３を表し、及びＭは周期律表の１、２又は３族からの金属イオンを表すか、又はＺｎ、Ｃｕ、Ｎｉ又はＣｏを表すか、又はＭは、基Ｎn+（Ｒ2）4（式中、Ｒ2は炭素原子数１ないし８のアルキル基
又はベンジル基を表す。）を表す。］を表し、
ｇが２を表す場合、
Ｒ31は、炭素原子数１ないし１２のアルキレン基、炭素原子数４ないし１２のアルケニレン基、キシリレン基、又は１ないし２０個の酸素原子により中断されているか、１ないし１０個のヒドロキシル基により置換されているか、又は前記酸素原子により中断され且
つ前記ヒドロキシル基により置換された炭素原子数１ないし５０のアルキレン基を表す。｝
で表される化合物からなる群より選択される、請求項１に記載の組成物。
【請求項４】
熱可塑性ポリウレタン組成物の耐変色性を保持する方法であって、該方法は、ＳＡＥ  Ｊ
１９６０  試験プロトコルに従う２５００ｋＪのキセノン曝露後に５未満のデルタＥが測定される変色度を生ずるのに有効な量の、紫外線吸収剤及び請求項１に記載の式Ｉで表される少なくとも１種のニトロキシル部分を含む化合物の混合物を、熱可塑性ポリウレタン組成物に配合することからなる、方法。